(57)【要約】【課題】  操作を簡単にすると共に、タイムコードの受信時間を短縮可能にすることにより、受信動作によって生じる消費電力を低減できるようにすること。【解決手段】  アンテナ１０１は標準電波を受信し、受信回路１０２は標準電波に含まれるタイムコードを抽出して制御回路１０３に出力する。制御回路１０３は、タイムコードを構成するデジタル信号を所定時間幅単位で識別してメモリ１０５に順次記憶する。制御回路１０３は、メモリ１０５に記憶したデジタル信号に基づいて前記タイムコードの種類を判別し、該タイムコードの種類に基づいて、前記受信したタイムコードを解析して現在時刻を判別し、計時時刻を修正して表示部１０４に表示する。【選択図】  図１
2007147328.tif 000002
【特許請求の範囲】
【請求項１】
現在時刻の情報を含むタイムコードを電波で受信し、計時手段による計時時刻を、該受信したタイムコードに対応する時刻に修正する電波時計において、
前記タイムコードを電波で受信する受信手段と、
前記タイムコードを構成するデジタル信号を所定時間幅単位で識別して順次記憶する記憶手段と、
前記記憶手段に記憶したデジタル信号に基づいて前記タイムコードの種類を判別する判別手段と、
前記判別手段で判別したタイムコードの種類に基づいて前記受信したタイムコードを解析して現在時刻を判別し、前記計時手段による計時時刻を修正する修正手段とを備えて成る電波時計。
【請求項２】
前記受信したタイムコードを構成するデジタル信号の所定方向エッジを検出するエッジ検出手段を有し、
前記記憶手段には、エッジ検出手段が検出した所定方向エッジを基準として、前記タイムコードを構成するデジタル信号を前記所定時間幅単位で識別して順次記憶することを特徴とする請求項１記載の電波時計。
【請求項３】
前記判別手段は、前記記憶手段に記憶したデジタル信号の前記所定方向エッジが、所定時間内に複数存在するか否かに基づいて、前記タイムコードの種類を判別することを特徴とする請求項１又は２記載の電波時計。
【請求項４】
前記判別手段は、前記記憶手段に記憶したデジタル信号の各秒の開始が前記所定方向エッジになっていない場合の数が所定値より大きいか否かに基づいて、前記タイムコードの種類を判別することを特徴とする請求項１乃至３のいずれか一に記載の電波時計。
【請求項５】
前記判別手段は、前記記憶手段に記憶したデジタル信号が、所定時間における所定レベルの合計パルス幅が所定値より大きいか否かに基づいて、前記タイムコードの種類を判別することを特徴とする請求項１乃至４のいずれか一に記載の電波時計。
【請求項６】
前記記憶手段には、前記タイムコードを構成するデジタル信号を、一種類の所定時間幅単位で識別して順次記憶することを特徴とする請求項１乃至５のいずれか一に記載の電波時計。
【請求項７】
前記記憶手段には、前記タイムコードを構成するデジタル信号を、複数種類の所定時間幅単位で識別して順次記憶することを特徴とする請求項１乃至５のいずれか一に記載の電波時計。
【発明の詳細な説明】
【技術分野】
【０００１】
本発明は、現在時刻の情報を含むタイムコードを電波で受信し、計時時刻を前記タイムコードに対応する時刻に修正する電波時計に関する。
【背景技術】
【０００２】
従来から、現在時刻を表すタイムコードを含む標準電波を受信し、その計時手段の計時時刻を自動的に修正する電波時計が開発されている。
前記標準電波の周波数やタイムコードのフォーマットは各国毎に定められている。
図８〜図１０は、各々、日本（識別コード：ＪＪＹ）、アメリカ（識別コード：ＷＷＶＢ）、イギリス（識別コード：ＭＳＦ）において使用されているタイムコードを構成するデジタル信号のフォーマットを示す図であり、信号「１」、「０」等を表す各デジタル信号の周期は１秒である。ＪＪＹには電波の周波数が４０ｋＨｚと６０ｋＨｚの２種類があり、ＷＷＶＢ及びＭＳＦはＪＪＹの一方の周波数と同一の６０ｋＨｚである。
【０００３】
図８（ａ）に示すように、ＪＪＹにおいては、Ｐコードを表すデジタル信号は時間幅２００ｍｓｅｃの高変調部分と時間幅８００ｍｓｅｃの低変調部分とによって構成され、信号「１」を表すデジタル信号は時間幅５００ｍｓｅｃの高変調部分と時間幅５００ｍｓｅｃの低変調部分とによって構成され、又、信号「０」を表すデジタル信号は時間幅８００ｍｓｅｃの高変調部分と時間幅２００ｍｓｅｃの低変調部分とによって構成されている。
また、ＷＷＶＢにおいては、図９に示すように、Ｐコードを表すデジタル信号は時間幅２００ｍｓｅｃの低変調部分と時間幅８００ｍｓｅｃの高変調部分とによって構成され、信号「１」は時間幅５００ｍｓｅｃの低変調部分と時間幅５００ｍｓｅｃの高変調部分とによって構成され、信号「０」は時間幅２００ｍｓｅｃの低変調部分と時間幅８００ｍｓｅｃの高変調部分とによって構成されている。
【０００４】
また、ＭＳＦにおいては、図１０に示すように、フレームの初めを示すＰコードを表すデジタル信号は時間幅５００ｍｓｅｃの低変調部分と時間幅５００ｍｓｅｃの高変調部分とによって構成され、信号「１」は時間幅２００ｍｓｅｃの低変調部分と時間幅８００ｍｓｅｃの高変調部分とによって構成され、信号「０」は時間幅１００ｍｓｅｃの低変調部分と時間幅９００ｍｓｅｃの高変調部分とによって構成され、パリティチェックビットであるＰＡコードを表すデジタル信号は時間幅３００ｍｓｅｃの低変調部分と時間幅７００ｍｓｅｃの高変調部分とによって構成されている。
【０００５】
尚、図８〜図１０において、高変調部分と低変調部分を復調する際に、高レベルと低レベルのいずれの信号形式で出力するかは、復調回路等の構成によって定まるものであり、いずれのレベルの信号を採択するかは適宜選択できるものである。
図１１は、ＪＪＹ、ＷＷＶＢ、ＭＳＦによって「２００５年７月１１日９時４７分」を表すタイムコードの一部（５９秒〜３７秒）を示す図である。
【０００６】
従来の電波時計は、各国の標準電波のみ、つまり１種類の標準電波のみを受信可能に構成されたものであったが、近年、複数の国や地域の標準電波を受信可能なマルチ受信機能を有する電波時計も商品化されつつある。各国の標準電波の周波数、あるいは、タイムコードが相互に相違しているため、マルチ受信機能を有する電波時計は、受信しようとする複数の標準電波の周波数やタイムコードのフォーマットに対応している必要がある。
【０００７】
前記マルチ受信機能を内蔵した電波時計は、大きく分けて、使用者が操作を行うことによって受信局を指定して選択する方式（例えば、特許文献１参照）と、受信結果に基づいて受信局を自動的に順次切り替えていく方式（例えば、特許文献２参照）がある。
受信局を指定する方式では受信に要する時間や消費エネルギーを最小にすることが可能であるが、受信局を指定して選択する手段を備えなければならず、操作が煩雑になるという問題がある。
【０００８】
一方、受信結果に基づいて受信局を自動的に順次切り替える方武では、受信局を指定する必要が無いため操作は単純になるが、同一周波数の受信局を複数受信できる機能が備わっている場合、受信に失敗するまで受信局を切り替えることができない。したがって、タイムコードのフォーマットに基づき、受信したデータが受信対象としている受信局と異なっているかどうか判定したとしても、同じコードが複数回連続した場合には、コードの始まりがどこであるか正しく判断することができない場合があるため、判定までに時間がかかり、時間や消費エネルギーが無駄に消費されることになる。
【０００９】
図１２は、ＪＪＹ及びＷＷＶＢにおいて信号「０」が６ビット連続して発生した場合と、ＭＳＦにおいて信号「１」が６ビット連続して発生した場合を示す図である。図１２に示すように、各タイムコードのデジタル信号は、２００ｍｓｅｃ幅の高レベル信号と８００ｍｓｅｃ幅の低レベル信号が交互に繰り返す信号となっており、これらの信号のみから種類を判定することは不可能である。したがって、タイムコードの他の部分も用いて判定する必要があるため、判定に時間がかかってしまうという問題がある。
【００１０】
【特許文献１】特開２００３−１２１５７１号公報の段落［００１４］〜［００１８］、［００２０］〜〔００２６〕、図１〜図７、図９
【特許文献２】特開２００４−４１３６号公報の段落［００７５］〜［００８４］、図１２〜図１４
【発明の開示】
【発明が解決しようとする課題】
【００１１】
本発明は、操作を簡単にすると共に、タイムコードの受信時間を短縮可能にすることにより、受信動作によって生じる消費電力を低減できるようにすることを課題としている。
【課題を解決するための手段】
【００１２】
本発明によれば、現在時刻の情報を含むタイムコードを電波で受信し、計時手段による計時時刻を、該受信したタイムコードに対応する時刻に修正する電波時計において、前記タイムコードを電波で受信する受信手段と、前記タイムコードを構成するデジタル信号を所定時間幅単位で識別して順次記憶する記憶手段と、前記記憶手段に記憶したデジタル信号に基づいて前記タイムコードの種類を判別する判別手段と、前記判別手段で判別したタイムコードの種類に基づいて前記受信したタイムコードを解析して現在時刻を判別し、前記計時手段による計時時刻を修正する修正手段とを備えて成る電波時計が提供される。
【００１３】
受信手段は、現在時刻の情報を含むタイムコードを電波で受信する。記憶手段は、前記タイムコードを構成するデジタル信号を所定時間幅単位で識別して順次記憶する。判別手段は、前記記憶手段に記憶したデジタル信号に基づいて前記タイムコードの種類を判別する。修正手段は、前記判別手段で判別したタイムコードの種類に基づいて前記受信したタイムコードを解析して現在時刻を判別し、前記計時手段による計時時刻を修正する。
【００１４】
ここで、前記受信したタイムコードを構成するデジタル信号の所定方向エッジを検出するエッジ検出手段を有し、前記記憶手段には、エッジ検出手段が検出した所定方向エッジを基準として、前記タイムコードを構成するデジタル信号を前記所定時間幅単位で識別して順次記憶するように構成してもよい。
また、前記判別手段は、前記記憶手段に記憶したデジタル信号の前記所定方向エッジが、所定時間内に複数存在するか否かに基づいて、前記タイムコードの種類を判別するように構成してもよい。
【００１５】
また、前記判別手段は、前記記憶手段に記憶したデジタル信号の各秒の開始が前記所定方向エッジになっていない場合の数が所定値より大きいか否かに基づいて、前記タイムコードの種類を判別するように構成してもよい。
また、前記判別手段は、前記記憶手段に記憶したデジタル信号が、所定時間における所定レベルの合計パルス幅が所定値より大きいか否かに基づいて、前記タイムコードの種類を判別するように構成してもよい。
【００１６】
また、前記記憶手段には、前記タイムコードを構成するデジタル信号を、一種類の所定時間幅単位で識別して順次記憶するように構成してもよい。
また、前記記憶手段には、前記タイムコードを構成するデジタル信号を、複数種類の所定時間幅単位で識別して順次記憶するように構成してもよい。
【発明の効果】
【００１７】
本発明によれば、受信局を指定する必要がないため操作が簡単になる。また、タイムコード受信時間を短縮化することが可能になるため、受信動作によって生じる消費電力を低減することが可能になるという効果を奏する。
【発明を実施するための最良の形態】
【００１８】
以下、本発明の実施の形態に係る電波時計について説明する。尚、前述した如く標準電波の周波数やタイムコードのフォーマットは各国毎に定められているため、電波時計は、受信しようとする標準電波（周波数やタイムコードのフォーマット）に対応している必要がある。本実施の形態では、周波数が同じであると共にタイムコードが相互に異なる日本（識別コード：ＪＪＹ）、米国（識別コード：ＷＷＶＢ）、英国（識別コード：ＭＳＦ）の標準電波に対応している電波時計について説明する。
【００１９】
図１は、本発明の実施の形態に係る電波時計のブロック図である。
図１において、電波時計は、アンテナコイルによって構成されたアンテナ１０１、アンテナ１０１で受信した標準電波信号に含まれるタイムコードを抽出して出力する受信回路１０２、中央処理装置（ＣＰＵ）によって構成され電波時計の各構成要素や全体の制御等を行う制御回路１０３、液晶表示装置等によって構成され現在時刻等の表示を行う表示手段としての表示部１０４、制御回路１０３が実行するプログラムやタイムコードを構成するデジタル信号等の各種データ等を記憶する記憶手段としてのメモリ（ランダムアクセスメモリ：ＲＡＭ）１０５及び操作手段としての操作部１０６を有している。尚、アンテナ１０１及び受信回路１０２は受信手段を構成し、制御回路１０３は制御手段、判別手段、修正手段を構成している。
【００２０】
図２〜図５は、図１の電波時計の処理を示すフローチャートであり、主として、制御回路１０３がメモリ１０５に予め記憶されているプログラムを実行することによって行われる処理を示している。
図６は、本実施の形態において、受信した標準電波からタイムコードを検出する際の動作を示す信号波形図であり、タイムコードを構成するデジタル信号を、一種類の所定時間幅単位（図６では０．１ｓｅｃ単位）で検出する際の波形図を示している。
以下、図１〜図６を参照して、本発明の実施の形態に係る電波時計の動作を説明する。
【００２１】
電波時計は、メモリ１０５に予め記憶されている時刻が到来したとき、あるいは、使用者が操作部１０６を操作することによって時刻修正処理を指示したときに、制御回路１０３がこれを検出して時刻修正処理を開始する。
制御回路１０３は、時刻修正処理を開始すると、受信回路１０２に電源を供給して、受信回路１０２を動作開始させる。受信回路１０２は、アンテナ１０１によって標準電波を受信し、前記標準電波に含まれるタイムコードを抽出して出力する。
【００２２】
制御回路１０３は、前記受信したタイムコードを構成するデジタル信号の所定方向エッジ（本実施の形態では第１方向エッジである立ち上がりエッジ）を検出し（ステップＳ２０１）、前記立ち上がりエッジを基準として、前記デジタル信号を一種類の所定時間幅単位（本実施の形態では、図６に示すように、１００ｍｓｅｃ単位）で識別して、データとしてメモリ１０５に順次保存して蓄積する（ステップＳ２０２）。ここで、ステップＳ２０１はエッジ検出手段を構成している。
【００２３】
次に、制御回路１０３は、前記動作を行った時間が所定時間Ｔ１（例えば約３０秒）経過したか否かを判断し（ステップＳ２０３）、前記所定時間Ｔ１経過したと判断した場合には、メモリ１０５に蓄積したデジタル信号のうち、所定時間における所定レベル（本実施の形態では高レベル）のパルス幅の時間を合計し、前記合計時間が所定時間Ｔよりも大きいか否かを判断する（ステップＳ２０５）。
【００２４】
制御回路１０３は、ステップＳ２０５において、前記高レベルにある時間の合計値が前記所定時間Ｔよりも小さいと判断した場合、受信したタイムコードが英国のタイムコード（ＭＳＦ）であると判断し（図３のステップＳ２１７）、メモリ１０５に蓄積しているデジタル信号及び受信中のデジタル信号中からＭＳＦのフレームの開始位置を表すデジタル信号（図１０の信号Ｐ）を検索する（ステップＳ２１８）。ここで、ステップＳ２１７は判別手段を構成している。
【００２５】
次に、制御回路１０３は、ＭＳＦのフレームの開始位置を表す信号Ｐを検出した場合（ステップＳ２１９）、受信したデジタル信号データを前記フレームの開始位置からデコードして現在時刻の判別動作を行い、現在時刻を判別できたときは受信回路１０２の電源を遮断して受信回路１０２の受信動作を終了する（ステップＳ２２０）。
次に、制御回路１０３は、ステップＳ２２０において現在時刻を判別できたか否か、即ち、受信動作を終了したか否かを判別する（ステップＳ２２１）。
【００２６】
制御回路１０３は、ステップＳ２２１において受信動作を未だ終了していないと判断した場合には、それ以降、受信回路１０５による標準電波の受信動作を継続し、受信したタイムコードをＭＳＦとしてデコード処理して現在時刻の判別動作を行い、現在時刻を判別できたときは受信回路１０２の受信動作を終了する（ステップＳ２２２）。
次に、制御回路１０３は、ステップＳ２２２において現在時刻を判別できたか否か、即ち、受信動作を終了したか否かを判別し、受信動作を終了した場合には、計時手段（図示せず）の計時時刻を判別したタイムコードに対応する現在時刻に修正すると共に該時刻を表示部１０４に表示して、時刻修正処理を終了する（ステップＳ２２３）。ここで、ステップＳ２２３は修正手段を構成している。
【００２７】
制御回路１０３は、ステップＳ２１９において、フレームの開始位置を表す信号Ｐを検出できなかった場合には、ステップＳ２２２に移行して、該処理を行う。制御回路１０３は、ステップ２２１において、ステップＳ２２０において現在時刻を判別できたと判断した場合、即ち、受信動作を終了したと判断した場合には処理を終了する。また、制御回路１０３は、ステップＳ２２３において、ステップＳ２２２において現在時刻を判別できなかったと判断した場合、即ち、受信動作を終了していないと判断した場合、ステップＳ２２２に戻って、該処理を行う。
【００２８】
一方、制御回路１０３は、ステップＳ２０５において、前記高レベルにある時間の合計値が前記所定時間Ｔよりも大きいと判断した場合、受信したタイムコードが英国のタイムコード（ＭＳＦ）ではない（即ち、受信したタイムコードはＪＪＹあるいはＷＷＶＢである）と判断する。
次に、制御回路１０３は、メモリ１０５に蓄積しているデジタル信号から、所定時間（本実施の形態では１秒間）に複数（本実施の形態では２つ）の所定方向エッジ（本実施の形態では立ち上がりエッジ）が存在する数Ａをカウントする（ステップＳ２０７）。受信信号がＷＷＶＢの場合には１秒間に立ち上がりエッジが複数回存在することはないが、ＪＪＹの場合には、例えば、図８（ｂ）に示すように、デジタル信号「０」、「１」を連続して受信した場合、１秒間に２つの立ち上がりエッジが存在することになる。したがって、受信状態が正常であれば、ステップＳ２０７において、１秒間に複数の所定方向エッジが存在する数Ａが１以上であれば、受信信号はＷＷＶＢではなく、ＪＪＹであるということを判断できることになる。
【００２９】
次に、制御回路１０３は、メモリ１０５に蓄積しているデジタル信号から、所定時間（本実施の形態では１秒）の開始が所定方向エッジ（本実施の形態では立ち上がりエッジ）になっていない数Ｂをカウントする（ステップＳ２０８）。ＷＷＶＢの場合には各秒（即ち、各デジタル信号）の開始は立ち上がりエッジであるが、ＪＪＹの場合には、各秒の開始は立ち上がりエッジではなく立ち下がりエッジである。したがって、受信状態が正常であれば、ステップＳ２０８において、各１秒の開始が立ち上がりエッジになっていない数Ｂが１以上であれば、受信信号はＷＷＶＢではなく、ＪＪＹであるということを判断できることになる。
【００３０】
次に、制御回路１０３は、前記数Ａが所定値α（例えば、５〜７）よりも大きいか否か及び／又は前記数Ｂが所定値β（例えば、３〜５）よりも大きいか否かを判断する（ステップＳ２０９）。ここで、受信状態が理想的でノイズ等の影響を受けない場合には、前記の如く、α及びβは各々１でもよいが、受信状態が良好でない場合もあるため、誤判断を防止するために、α及びβの値を１よりも大きい正の整数値に設定している。
尚、制御回路１０３は、ステップＳ２０９において、α及びβの双方が前記条件を満足した場合にＷＷＶＢあるいはＪＪＹと判断するようにしてもよく、あるいは、αとβのいずれか一方が前記条件を満足した場合にＷＷＶＢあるいはＪＪＹと判断するようにしてもよい。後者の場合、ステップＳ２０７又ステップＳ２０８を省略することができる。
【００３１】
制御回路１０３は、ステップＳ２０９において前記の如く、Ａとαの大小関係及び／又はＢとβの大小関係に基づいて、受信したタイムコードがＷＷＶＢあるいはＪＪＹであると判断する。ここでは、制御回路１０３は、ステップＳ２０９において、Ａがαより大きくない及び／又はＢがβより大きくないと判断した場合、受信したタイムコードデータがＷＷＶＢであると判断する（ステップＳ２１０）。ここで、ステップＳ２１０は判別手段を構成している。
次に、制御回路１０３は、メモリ１０５に蓄積しているデジタル信号からＷＷＶＢのフレームの開始位置を表すデジタル信号（例えば、図９の信号Ｐが２つ連続した信号ＰＰ）を検索する（ステップＳ２１１）。
【００３２】
次に、制御回路１０３は、ＷＷＶＢのフレームの開始位置を表す信号ＰＰを検出した場合（ステップＳ２１２）、前記メモリ１０５に記憶しているデジタル信号データを前記フレームの開始位置からデコードして現在時刻の判別動作を行い、現在時刻を判別できたときは受信回路１０２の受信動作を終了する（ステップＳ２１３）。
次に、制御回路１０３は、ステップＳ２１３において現在時刻を判別できたか否か、即ち、受信動作を終了したか否かを判別する（ステップＳ２１４）。
【００３３】
制御回路１０３は、ステップＳ２１４において受信動作を未だ終了していないと判断した場合には、それ以降、受信回路１０５による標準電波の受信動作を継続し、受信したタイムコードをＷＷＦＢとしてデコード処理して現在時刻の判別動作を行い、現在時刻を判別できたときは受信回路１０２の電源を遮断して受信動作を終了する（ステップＳ２１５）。
【００３４】
次に、制御回路１０３は、ステップＳ２１５において現在時刻を判別できたか否か、即ち、受信動作を終了したか否かを判別し、受信動作を終了した場合には、前記計時手段の計時時刻をタイムコードに対応する現在時刻に修正すると共に該時刻を表示部１０４に表示して、時刻修正処理を終了する（ステップＳ２１６）。ステップＳ２１６は修正手段を構成している。
制御回路１０３は、ステップＳ２１２において、フレームの開始位置を表す信号ＰＰを検出できなかった場合には、ステップＳ２１５に移行して、該処理を行う。
【００３５】
制御回路１０３は、ステップ２１４において、ステップＳ２１３において現在時刻を判別できたと判断した場合、即ち、受信動作を終了したと判断した場合には処理を終了する。また、制御回路１０３は、ステップＳ２１６において、ステップＳ２１５において現在時刻を判別できなかったと判断した場合、即ち、受信動作を終了していないと判断した場合、ステップＳ２１５に戻って、該処理を行う。
【００３６】
一方、制御回路１０３は、ステップＳ２０９において、Ａがαより大きい及び／又はＢがβより大きいと判断した場合、受信したタイムコードデータがＪＪＹであると判断する（ステップＳ２２４）。ここで、ステップＳ２２４は判別手段を構成している。
次に、制御回路１０３は、メモリ１０２に蓄積したデジタル信号データを、前記所定方向エッジとは異なる方向のエッジ（本実施の形態では第２方向エッジである立ち下がりエッジ）を各秒の開始位置に変換する（ステップＳ２２５）。これにより、メモリ１０２に記憶したデジタル信号はＪＪＹのタイムコードとして認識可能になる。
【００３７】
次に、制御回路１０３は、前記変換後のデジタル信号からＪＪＹのフレームの開始位置を表すデジタル信号（例えば、図８の信号Ｐが２つ連続した信号ＰＰ）を検索する（ステップＳ２２６）。
次に、制御回路１０３は、ＪＪＹのフレームの開始位置を表す信号ＰＰを検出した場合（ステップＳ２２７）、受信したデジタル信号データを前記フレームの開始位置からデコードして現在時刻の判別動作を行い、現在時刻を判別できたときは受信回路１０２の電源供給を遮断して受信動作を終了する（ステップＳ２２８）。
【００３８】
次に、制御回路１０３は、ステップＳ２２８において現在時刻を判別できたか否か、即ち、受信動作を終了したか否かを判別する（ステップＳ２２９）。
制御回路１０３は、ステップＳ２２９において受信動作を未だ終了していないと判断した場合には、それ以降、受信回路１０５による標準電波の受信動作を継続してメモリ１０５に記憶し、該受信したタイムコードをＪＪＹとしてデコード処理して現在時刻の判別動作を行い、現在時刻を判別できたときは受信回路１０２の受信動作を終了する（ステップＳ２３０）。
次に、制御回路１０３は、ステップＳ２３０において現在時刻を判別できたか否か、即ち、受信動作を終了したか否かを判別し、受信動作を終了した場合には、前記計時手段の計時時刻をタイムコードに対応する現在時刻に修正すると共に該時刻を表示部１０４に表示して、時刻修正処理を終了する（ステップＳ２３１）。ここで、ステップＳ２３１は修正手段を構成している。
【００３９】
制御回路１０３は、ステップＳ２２７において、フレームの開始位置を表す信号ＰＰを検出できなかった場合には、ステップＳ２３０に移行して、該処理を行う。制御回路１０３は、ステップ２２９において、ステップＳ２２８において現在時刻を判別できたと判断した場合、即ち、受信動作を終了したと判断した場合には処理を終了する。また、制御回路１０３は、ステップＳ２３１において、ステップＳ２３０において現在時刻を判別できなかったと判断した場合、即ち、受信動作を終了していないと判断した場合、ステップＳ２３０に戻って、該処理を行う。
【００４０】
本実施の形態では、タイムコードを構成するデジタル信号を検出する際に、受信対象のタイムコードを検出することが可能な最大の時間幅を所定単位時間として用いて、前記所定単位時間単位でデジタル信号を検出するようにしている。本実施の形態では、受信対象のタイムコードとして、ＭＳＦ、ＷＷＶＢ、ＪＪＹの３種類を想定しており、ＭＳＦはデジタル信号における高変調部や低変調部の最小時間幅が１００ｍｓｅｃであるため、前記所定単位時間として１００ｍｓｅｃの一種類の所定単位時間を用いている。
【００４１】
しかしながら、例えば、受信対象のタイムコードとしてＷＷＶＢ、ＪＪＹの２種類を想定した場合には、タイムコードを、複数種類の所定時間単位で検出するように構成することができる。例えば、ＷＷＶＢ、ＪＪＹのタイムコードのデジタル信号は、いずれも高変調部や低変調部の最小時間幅が２００ｍｓｅｃであるため、デジタル信号の識別タイミングを、図７に示すように、デジタル信号の開始部分と終了部分とを各々２００ｍｓｅｃとし、その間を１００ｍｓｅｃ毎に区分するように構成することができる。この場合、図６の例に比較して、デジタル信号を表すビット数を少なくすることが可能になり、小さな容量のメモリ１０５を使用することが可能になる。
【００４２】
以上述べたように、本発明の実施の形態にかかる電波時計は、現在時刻の情報を含むタイムコードを電波で受信し、計時手段による計時時刻を、該受信したタイムコードに対応する時刻に修正する電波時計において、前記タイムコードを電波で受信するアンテナ１０１及び受信回路１０２と、前記タイムコードを構成するデジタル信号を所定時間幅単位で識別して順次記憶するメモリ１０５と、メモリ１０５に記憶したデジタル信号に基づいて前記タイムコードの種類を判別する判別手段と、前記判別手段で判別したタイムコードの種類に基づいて前記受信したタイムコードを解析して現在時刻を判別し、前記計時手段による計時時刻を修正する修正手段とを備えている。
【００４３】
したがって、受信局を指定する必要がないため操作が簡単になる。また、所定時間内の立ち上がりエッジの数等に基づいてタイムコードの種類を判別しているので、電波状態が悪くて正確なタイムコードを長時間にわたって受信することが困難な場合でも、タイムコードの種類を正確に判別することが可能になる。したがって、タイムコードを長時間受信しなくても正確に判別することが可能になるため、受信時間を短縮化することが可能になり、受信動作によって生じる消費電力を低減することが可能になる。
【００４４】
尚、前記実施の形態では、日本、米国及び英国の例で説明したが、前述した国のみならず、周波数が同一で異なるタイムコードを使用する複数の国において利用される電波時計にも適用可能である。
また、前記デジタル信号を検出する基準となるエッジは、受信対象となるタイムコードのフォーマットに応じて、立ち上がりエッジ又は立ち下がりエッジを適宜選択することが可能である。
【産業上の利用可能性】
【００４５】
日本国、米国、英国等に限られず、標準電波の周波数が同一で異なるタイムコードを使用する複数の国において利用される電波時計にも適用可能である。また、アナログ電波時計及びデジタル電波時計のいずれにも適用可能である。
【図面の簡単な説明】
【００４６】
【図１】本発明の実施の形態に係る電波時計のブロック図である。
【図２】本発明の実施の形態に係る電波時計の処理を示すフローチャートである。
【図３】本発明の実施の形態に係る電波時計の処理を示すフローチャートである。
【図４】本発明の実施の形態に係る電波時計の処理を示すフローチャートである。
【図５】本発明の実施の形態に係る電波時計の処理を示すフローチャートである。
【図６】本発明の実施の形態に係る電波時計の動作を示す信号波形図である。
【図７】本発明の他の実施の形態に係る電波時計の動作を示す信号波形図である。
【図８】日本のタイムコードを構成するデジタル信号の信号波形図である。
【図９】米国のタイムコードを構成するデジタル信号の信号波形図である。
【図１０】英国のタイムコードを構成するデジタル信号の信号波形図である。
【図１１】日本、米国及び英国におけるタームコードの一部を示す信号波形図である。
【図１２】日本、米国及び英国におけるタームコードの一部を示す信号波形図である。
【符号の説明】
【００４７】
１０１・・・受信手段を構成するアンテナ
１０２・・・受信手段を構成する受信回路
１０３・・・制御手段、判別手段、修正手段、エッジ検出手段を構成する制御回路
１０４・・・表示手段としての表示部
１０５・・・記憶手段としてのメモリ（ＲＡＭ）
１０６・・・操作手段としての操作部
【図１】
2007147328.tif 000003
【図２】
2007147328.tif 000004
【図３】
2007147328.tif 000005
【図４】
2007147328.tif 000006
【図５】
2007147328.tif 000007
【図６】
2007147328.tif 000008
【図７】
2007147328.tif 000009
【図８】
2007147328.tif 000010
【図９】
2007147328.tif 000011
【図１０】
2007147328.tif 000012
【図１１】
2007147328.tif 000013
【図１２】
2007147328.tif 000014